(57)【特許請求の範囲】
【請求項１】
左右の眼鏡レンズと、これら左右の眼鏡レンズを連結するブリッジと、前記左右の眼鏡レンズの側端部にネジ止めされたヨロイと、該ヨロイに連結されたテンプルとを備えた縁無し眼鏡において、
前記ヨロイを、テンプルを連結する側のヨロイ本体と、眼鏡レンズにネジ止めされる側の連結片とに分割し、
前記ヨロイ本体に、眼鏡レンズの周面に当接するコバ当て部を設け、このコバ当て部に前後方向の溝を設け、この溝に前記連結片を嵌めて結合するようにすることによって、前記連結片を眼鏡レンズ前面にネジ止めする前当てを行なう場合の連結片の向き及び眼鏡レンズ後面にネジ止めする後当てを行なう場合の連結片の向きの二つの向きのいずれかを選択して結合可能としたことを特徴とする縁無し眼鏡。
【請求項２】
前記連結片を、眼鏡レンズの前面または後面に選択的にネジ止めされる舌片と、該舌片に直交する基片とを一体に持つＬ字形に形成し、該Ｌ字形の連結片の基片を前記ヨロイ本体の溝に嵌めてネジ止めすることにより、ヨロイ本体と連結片を一体化したことを特徴とする請求項１記載の縁無し眼鏡。
【請求項３】
左右の眼鏡レンズと、これら左右の眼鏡レンズを連結するブリッジと、前記左右の眼鏡レンズの側端部にヨロイを介して連結されたテンプルとを備えた縁無し眼鏡において、
前記ブリッジを、中央のブリッジ本体と眼鏡レンズにネジ止めされる両端の連結片とに分割し、
前記ブリッジ本体に、眼鏡レンズの周面に当接するコバ当て部を設け、このコバ当て部に前後方向の溝を設け、この溝に前記連結片を嵌めて結合するようにすることによって、前記連結片を眼鏡レンズ前面にネジ止めする前当てを行なう場合の連結片の向き及び眼鏡レンズ後面にネジ止めする後当てを行なう場合の連結片の向きの二つの向きのいずれかを選択して結合可能としたことを特徴とする縁無し眼鏡。
【請求項４】
前記連結片と眼鏡レンズとの間に弾性材料製のワッシャを入れて連結片と眼鏡レンズをネジ止めしたことを特徴とする請求項１〜３のいずれかに記載の縁無し眼鏡。
【発明の詳細な説明】
【０００１】
【発明の属する技術分野】
本発明は、眼鏡レンズに直接ブリッジやヨロイを固着することで、眼鏡レンズの周囲の縁を無くした縁無し眼鏡に関する。
【０００２】
【従来の技術】
縁無し眼鏡には、ヨロイやブリッジのベロ（レンズにネジ止めするための舌片）が眼鏡レンズの前面に付く前当てタイプと、後面に付く後当てタイプの二種類がある。
【０００３】
図１１は前当てタイプの従来の縁無し眼鏡１０、図１２は後当てタイプの従来の縁無し眼鏡２０を示す。
これらの縁無し眼鏡１０、２０は、左右の眼鏡レンズ１Ａ、１Ｂと、これら左右の眼鏡レンズ１Ａ、１Ｂを連結するブリッジ１２、２２と、左右の眼鏡レンズ１Ａ、１Ｂの側端部にネジ止めされたヨロイ１３、２３と、ヨロイ１３、２３にヒンジ結合されたテンプル４とからなる。
【０００４】
図１１の縁無し眼鏡１０においては、ブリッジ１２及びヨロイ１３に、眼鏡レンズ１Ａ、１Ｂの前面側に位置するベロ（舌片）１２ａ、１３ａが一体に付いており、ベロ１２ａ、１３ａを眼鏡レンズ１Ａ、１Ｂの前面に当ててボルト・ナット５で固定している。
【０００５】
図１２の縁無し眼鏡２０においては、ブリッジ２２及びヨロイ２３に、眼鏡レンズ１Ａ、１Ｂの後面側に位置するベロ（舌片）２２ａ、２３ａが一体に付いており、ベロ２２ａ、２３ａを眼鏡レンズ１Ａ、１Ｂの後面に当ててボルト・ナット５で固定している。
【０００６】
これらの前当てタイプ及び後当てタイプには、それぞれメリットとデメリットがある。
即ち、前当てタイプの場合は、レンズの度数が大きくなり、コバ厚（レンズの側端部の厚さ）が厚くなったときに、コバが目立ちにくい、というメリットがあるものの、テンプルを開く方向の力に弱く、ヨロイが開く方向に変形しやすい、ベロがレンズの前方にあるので目立つ、マウントするレンズの度数が大きくレンズが厚くなると、レンズ後面が角膜頂点に近づいてしまう、というデメリットがある。
【０００７】
一方、後当てタイプの場合は、テンプルを開く方向の力に強く変形しにくい、ベロがレンズの後方にあるので目立ちにくい、マウントされるレンズの度数によってもレンズの後面位置が変わりにくい、というメリットがあるものの、コバ厚が厚くなったときに、レンズが前方に飛び出して見える、というデメリットがある。
【０００８】
以上のように、前当てタイプ、後当てタイプには、それぞれにメリットとデメリットがあり、従って、どちらのタイプを選択するかは、その眼鏡を装用する人や販売する人の考え方によって、あるいは、マウントするレンズの度数等に応じて、その都度、個別に決めるのがいちばん良い。
【０００９】
【発明が解決しようとする課題】
ところが、従来の縁無し眼鏡の場合、前当てタイプと後当てタイプはそれぞれが専用品として店頭に提供されており、一旦フレームを選定すると、その後で装用者や販売者に「前当て」にするか「後当て」にするかを選択する余地はなく、ただメーカーの提供するフレームによって、「前当て」か「後当て」かが一律に決められてしまっていた。このため、「前当て」及び「後当て」の各メリットを十分に生かし切れない場合があった。
【００１０】
本発明は、上記事情を考慮し、店頭での眼鏡選定に際し、眼鏡レンズとフレームを選択した後で、眼鏡レンズに対しヨロイやブリッジのベロ（舌片）を「前当て」にするか「後当て」にするかを選択することができ、前当てや後当てのメリットを十分に生かすことができて、装用者や販売者の意向を販売の時点で反映することのできる縁無し眼鏡を提供することを目的とする。
【００１１】
【課題を解決するための手段】
請求項１の発明は、左右の眼鏡レンズと、これら左右の眼鏡レンズを連結するブリッジと、前記左右の眼鏡レンズの側端部にネジ止めされたヨロイと、該ヨロイに連結されたテンプルとを備えた縁無し眼鏡において、
前記ヨロイを、テンプルを連結する側のヨロイ本体と、眼鏡レンズにネジ止めされる側の連結片とに分割し、
前記ヨロイ本体に、眼鏡レンズの周面に当接するコバ当て部を設け、このコバ当て部に前後方向の溝を設け、この溝に前記連結片を嵌めて結合するようにすることによって、前記連結片を眼鏡レンズ前面にネジ止めする前当てを行なう場合の連結片の向き及び眼鏡レンズ後面にネジ止めする後当てを行なう場合の連結片の向きの二つの向きのいずれかを選択して結合可能としたことを特徴とする。
【００１２】
この発明の縁無し眼鏡では、ヨロイ本体に対して連結片を前当て側に結合すれば、前当て態様で眼鏡レンズにヨロイを取り付けることができる。また、ヨロイ本体に対して連結片を後当て側に結合すれば、後当て態様で眼鏡レンズにヨロイを取り付けることができる。
【００１３】
請求項２の発明は、請求項１において、前記連結片を、眼鏡レンズの前面または後面に選択的にネジ止めされる舌片と、該舌片に直交する基片とを一体に持つＬ字形に形成し、該Ｌ字形の連結片の基片を前記ヨロイ本体の溝に嵌めてネジ止めすることにより、ヨロイ本体と連結片を一体化したことを特徴とする。
【００１４】
この発明の縁無し眼鏡では、ヨロイ本体のコバ当て部に設けた溝に連結片の基片を嵌めてネジ止めしているので、コバ当て部を眼鏡レンズの周面（コバ）に当接させた状態は、基片のネジ止め部が外部から見えなくなる。従って、組み付けた状態では、外からはヨロイが分割されていることが全く分からなくなる。
【００１５】
請求項３の発明は、  左右の眼鏡レンズと、これら左右の眼鏡レンズを連結するブリッジと、前記左右の眼鏡レンズの側端部にヨロイを介して連結されたテンプルとを備えた縁無し眼鏡において、
前記ブリッジを、中央のブリッジ本体と眼鏡レンズにネジ止めされる両端の連結片とに分割し、
前記ブリッジ本体に、眼鏡レンズの周面に当接するコバ当て部を設け、このコバ当て部に前後方向の溝を設け、この溝に前記連結片を嵌めて結合するようにすることによって、前記連結片を眼鏡レンズ前面にネジ止めする前当てを行なう場合の連結片の向き及び眼鏡レンズ後面にネジ止めする後当てを行なう場合の連結片の向きの二つの向きのいずれかを選択して結合可能としたことを特徴とする。
【００１６】
この発明の縁無し眼鏡では、ブリッジ本体に対して連結片を前当て側に結合すれば、前当て態様で眼鏡レンズにブリッジを取り付けることができる。また、ブリッジ本体に対して連結片を後当て側に結合すれば、後当て態様で眼鏡レンズにブリッジを取り付けることができる。
【００１７】
請求項４の発明は、請求項１〜３のいずれかにおいて、前記連結片と眼鏡レンズとの間に弾性材料製のワッシャを入れて連結片と眼鏡レンズをネジ止めしたことを特徴とする。
【００１８】
この発明の縁無し眼鏡では、連結片と眼鏡レンズとの間に弾性材料製のワッシャを介在させたので、度数の強い眼鏡レンズのコバに平行にネジを通したとき、連結片と眼鏡レンズの当接角度が合わなくなる場合があるが、そのような場合にも、ワッシャが弾性変形することで、その角度のずれを吸収することができ、安定して連結片を眼鏡レンズにネジ止め固定することができる。
【００１９】
【発明の実施の形態】
以下、本発明の実施形態を図面に基づいて説明する。
図１は前当てタイプとして組み上げた縁無し眼鏡３０の全体図、図５は後当てタイプとして組み上げた縁無し眼鏡５０の全体図である。これらは同じ部品で組み上げたものである。
【００２０】
これらの縁無し眼鏡３０、５０は、左右の眼鏡レンズ３１Ａ、３１Ｂと、これら左右の眼鏡レンズ３１Ａ、３１Ｂを連結するブリッジ３２、５２と、左右の眼鏡レンズ３１Ａ、３１Ｂの側端部にネジ止めされたヨロイ３３、５３と、ヨロイ３３、５３にヒンジ結合されたテンプル４とからなる。なお、パッドについては図示を省略してある。
【００２１】
ヨロイ３３、５３及びブリッジ３２、５２にはベロ（舌片）３３ａ、５３ａ、３２ａ、５２ａが設けられており、これらベロ３３ａ、５３ａ、３２ａ、５２ａが、眼鏡レンズ３１Ａ、３１Ｂの前面または後面に、ボルト３５、ナット３６、弾性樹脂製のワッシャ（０．７ｍｍ〜０．８ｍｍ厚）３７を使用して固着されている。
【００２２】
この場合のヨロイ３３、５３は、二つの部材に分割された上で合体したものにより構成されている。図２、図６は、これらの縁無し眼鏡３０、５０で使用している金属製のヨロイ３３、５３の構成を示している。これらのヨロイ３３、５３は、テンプル４（図１参照）を連結する側のヨロイ本体４１と、眼鏡レンズ３１Ａ、３１Ｂにネジ止めされる側の連結片４２とに分割されている。
【００２３】
ヨロイ本体４１は、棒状部４１ａの先端に、Ｌ字形に折れ曲がった受板部４１ｂを有している。受板部４１ｂは先に行くほど幅の広がった三角形状をなしており、先端面が、眼鏡レンズ３１Ａ、３１Ｂのコバ（側端部の周面）に当接するコバ当接部４１ｃとなっている。コバ当接部４１ｃには、前後方向にカットされた溝４１ｄが設けられ、その溝４１ｄの底面にネジ孔４１ｅが設けられている。受板部４１ｂの形状を先に行くほど広がる三角形状にしたのは、所定の幅の溝４１ｄを形成するためと、溝４１ｄを形成しても広いコバ当接部４１ｃを確保するためである。また、溝４１ｄの底面は斜めにカットされている。これは、連結片４２の舌片（ベロ）を凸面又は凹面をなすレンズカーブに沿うように取り付けた上で、連結片４２をヨロイ本体４１に連結するとき、後述する前当て及び後当てのいずれにおいても、ヨロイ本体４１のコバ当接部４１ｃがレンズのコバ端面に斜めになることなく当接されるようにするためである。この理由は、後で詳述する。さらに、棒状部４１ａの基端側には、テンプル４との連結のためのヒンジ連結部４１ｆが設けられている。
【００２４】
一方、連結片４２は、眼鏡レンズ３１Ａ、３１Ｂの前面または後面に選択的にネジ止めされる舌片４２ｅ（前記ベロ３３ａに相当するもの）と、該舌片４２ｅに直交する基片４２ａとを一体に持つＬ字形に形成されている。基片４２ａの底面には、前記受板部４１ｂの側面に係合することで、溝４１ｄの長手方向に連結片４２が動かないようにする２つの突部４２ｂが設けられている。また、２つの突部４２ｂの間の平坦部分は溝４１ｄの底面に当接される当接部４２ｄとされている。また、基片４２にはネジ４３の挿通する座ぐり付きの貫通孔４２ｃが設けられている。また、舌片４２ｅには、眼鏡レンズ３１Ａ、３１Ｂに固定するためのボルト３５を通すネジ挿通孔４２ｆが設けられている。
【００２５】
そして、図２に示す前当てタイプのヨロイ３３は、舌片４２ｅを前側に位置させて、Ｌ字形の連結片４２の基片４２ａをヨロイ本体４１の溝４１ｄに嵌めてネジ４３で固定することにより構成されている。また、図６に示す後当てタイプのヨロイ５３は、舌片４２ｅを後側に位置させて、Ｌ字形の連結片４２の基片４２ａをヨロイ本体４１の溝４１ｄに嵌めてネジ４３で固定することにより構成されている。この場合、上述の通り、ヨロイ本体４１の溝４１ｄの底面は斜めにカットされている。これは、連結片４２の舌片（ベロ）を凸面又は凹面をなすレンズカーブに沿うように取り付けた上で、連結片４２をヨロイ本体４１に連結するとき、前当て及び後当てのいずれにおいても、ヨロイ本体４１のコバ当接部４１ｃがレンズのコバ端面に斜めになることなく当接されるようにするためである。すなわち、舌片をレンズ前面又は後面の凸面又は凹面にそのレンズカーブに沿うように取り付けると、当接部４２ｄの底面が必然的に斜めになる。したがって、この当接部４２ｄと斜めにカットしていない溝４１ｄの底面とを連結すると、当接部４２ｄが傾いているために、必然的にヨロイ本体４１のコバ当接部４１ｃがコバ端面に斜めに当接されることになる。これを緩和するためである。この斜めカットにより、前当て及び後当てのいずれの場合でも舌片をレンズカーブに沿うように取り付けたときにコバ当接部４１ｃがコバ端面に斜めに当接することをほぼ避けることができる。なお、この斜めカットにより、当接面積も増えるので、連結強度の面でも有利になる。
【００２６】
このように、ヨロイをヨロイ本体４１と連結片４２に二分割したことにより、ヨロイ本体４１に対する連結片４２の取り付け向きを異ならせることで、前当てタイプと後当てタイプの二種類のヨロイ３３、５３を、店頭で簡単に用意することができる。言い換えると、あるフレームを選定した後で、前当て用から後当て用に、また、後当て用から前当て用に、フレーム種類を変更することができる。従って、装用者の好みや販売者の考え、あるいは、眼鏡レンズ３１Ａ、３１Ｂのレンズ厚さやレンズの表裏面の曲面形状を含むレンズ情報、度数やＰＤ値もしくはよせ量等を含む処方値、フレーム形状等を含むフレーム情報等を勘案して、前当てタイプの縁無し眼鏡３０と後当てタイプの縁無し眼鏡５０とを適宜に組み上げることができる。
【００２７】
組み上げに際しては、前当てタイプの場合は、まず、図２に示すような前当てタイプのヨロイ３３を用意して、そのベロ３３ａを、図３に示すように、眼鏡レンズ３１Ａの前面にボルト３５、ナット３６、ワッシャ３７を用いて固着する。その際、ヨロイ３３のコバ当接部４１ｃを、眼鏡レンズ３１Ａのコバ（周面）に当接させて取り付ける。
【００２８】
また、後当てタイプの場合は、まず、図６に示すような後当てタイプのヨロイ５３を用意して、そのベロ５３ａを、図７に示すように、眼鏡レンズ３１Ａの前面にボルト３５、ナット３６、ワッシャ３７を用いて固着する。その際、ヨロイ５３のコバ当接部４１ｃを、眼鏡レンズ３１Ａのコバ（周面）に当接させて取り付ける。
【００２９】
ブリッジ３２、５２についても同様に、中央のブリッジ本体６１と、眼鏡レンズ３１Ａにネジ止めされる両端の連結片６２とに分割しておき、ブリッジ本体６１に対する連結片６２の取り付け向きを異ならせることで、前当てタイプと後当てタイプの二種類のブリッジ３２、５２を選択的に用意する。この場合、ブリッジ本体６１と連結片６２の連結は、ヨロイ３３、５３の場合と同じように、ブリッジ本体６１に溝を形成しておき、そこに連結片６２を嵌めてネジ止めするようにすればよい。
【００３０】
そして、前当てタイプの場合は、図３に示すように、眼鏡レンズ３１Ａの前面にボルト３５、ナット３６、ワッシャ３７を用いて固着する。その際、ブリッジ３２のコバ当接部６１ｃを、眼鏡レンズ３１Ａのコバ（周面）に当接させて取り付ける。同様に、後当てタイプの場合は、図７に示すように、眼鏡レンズ３１Ａの後面にボルト３５、ナット３６、ワッシャ３７を用いて固着する。その際、ブリッジ５２のコバ当接部６１ｃを、眼鏡レンズ３１Ａのコバ（周面）に当接させて取り付ける。
【００３１】
なお、ヨロイ３３、５３とブリッジ３２、５２の組み合わせは適当に変更してもよい。図４は、前当てタイプのヨロイ３３と後当てタイプのブリッジ５２を組み合わせた場合、図８は、後当てタイプのヨロイ５３と前当てタイプのブリッジ３２を組み合わせた場合の例をそれぞれ示している。
【００３２】
いずれにしろ、ヨロイ本体４１に対して連結片４２を前当て側に結合すれば、前当て態様で眼鏡レンズ３１Ａ、３１Ｂにヨロイ３３を取り付けることができるし、ヨロイ本体４１に対して連結片４２を後当て側に結合すれば、後当て態様で眼鏡レンズ３１Ａ、３１Ｂにヨロイ５３を取り付けることができる。また、ブリッジ本体６１に対して連結片６２を前当て側に結合すれば、前当て態様で眼鏡レンズ３１Ａ、３１Ｂにブリッジ３２を取り付けることができるし、ブリッジ本体６１に対して連結片６２を後当て側に結合すれば、後当て態様で眼鏡レンズ３１Ａ、３１Ｂにブリッジ５２を取り付けることができる。
【００３３】
しかも、ヨロイ３３、５３のコバ当て部４１ｃを眼鏡レンズ３１Ａ、３１Ｂに当接した状態では、連結片４２のネジ止め部が外から見えなくなるので、外観意匠を損なうこともない。
【００３４】
また、ヨロイ３３、５３の舌片３３ａ、５３ａと眼鏡レンズ３１Ａ、３１Ｂとの間に弾性材料製のワッシャ３７を介在させているので、舌片３３ａ、５３ａと眼鏡レンズ３１Ａ、３１Ｂの当接角度が合わなくなる場合にも、ワッシャ３７が弾性変形することによって、その角度のずれを吸収することができ、安定してヨロイ３３、５３を眼鏡レンズ３１Ａ、３１Ｂにボルト３５、ナット３６で締結することができる。
【００３５】
例えば、眼鏡レンズ３１Ａ、３１Ｂが薄い場合には、ボルト３５の通し方向を眼鏡レンズ３１Ａ、３１Ｂの凸面に垂直に設定して取り付ければよいが、度数が強くなったりしてコバ厚が大きくなった場合には、図９、図１０に示すように、眼鏡レンズ７１Ａのコバに平行にボルト３５を通すことが多く、そのようなときには舌片３３ａ、５３ａと眼鏡レンズ７１Ａの当接角度が合わなくなる場合があるが、そのような場合にも、ワッシャ３７が弾性変形することで、その角度のずれを吸収することができるので、安定してヨロイ３３、５３を眼鏡レンズ７１Ａにネジ止め固定することができる。
【００３６】
なお、上記においては、ヨロイ３３、５３とブリッジ３２、５２を両方とも二分割タイプとし、前当てタイプと後当てタイプを適宜選択できるようにした場合を説明したが、ヨロイ３３、５３だけを二分割タイプとし、ブリッジについては従来と同様の一体タイプの部品を使用するようにしてもよい。また、逆に、ブリッジ３２、５２だけを二分割タイプとし、ヨロイについては従来と同様の一体タイプの部品を使用するようにしてもよい。
【００３７】
【発明の効果】
以上説明したように、請求項１の発明によれば、ヨロイ本体に対して連結片を前当て側に結合すれば、前当て態様で眼鏡レンズにヨロイを取り付けることができるし、ヨロイ本体に対して連結片を後当て側に結合すれば、後当て態様で眼鏡レンズにヨロイを取り付けることができる。従って、店頭での眼鏡選定に際し、眼鏡レンズとフレームを選択した後で、眼鏡レンズに対しヨロイを「前当て」にするか「後当て」にするかを選択することができ、前当てや後当てのメリットを十分に生かすことができて、装用者や販売者の意向を販売の時点で反映することができる。
【００３８】
請求項２の発明によれば、ヨロイ本体に対する連結片のネジ止め部が、組み上げ状態においては外から隠れるので、二分割にしたことで外観意匠を損なうようなことがない。
【００３９】
請求項３の発明によれば、ブリッジ本体に対して連結片を前当て側に結合すれば、前当て態様で眼鏡レンズにブリッジを取り付けることができるし、ブリッジ本体に対して連結片を後当て側に結合すれば、後当て態様で眼鏡レンズにブリッジを取り付けることができる。従って、店頭での眼鏡選定に際し、眼鏡レンズとフレームを選択した後で、眼鏡レンズに対しブリッジを「前当て」にするか「後当て」にするかを選択することができ、前当てや後当てのメリットを十分に生かすことができて、装用者や販売者の意向を販売の時点で反映することができる。
【００４０】
請求項４の発明によれば、連結片と眼鏡レンズとの間に弾性材料製のワッシャを介在させたので、連結片と眼鏡レンズの当接角度が合わない場合でも、その角度のずれを、ワッシャが弾性変形することで吸収することができ、安定して連結片を眼鏡レンズにネジ止め固定することができる。
【図面の簡単な説明】
【図１】本発明の実施形態を前当てタイプに組み上げた場合の縁無し眼鏡３０の全体構成図で、（ａ）は正面図、（ｂ）は側面図、（ｃ）は（ａ）図のＩｃ部の上から見た図である。
【図２】同前当てタイプの縁無し眼鏡に使用するヨロイを示し、（ａ）はヨロイの分解斜視図、（ｂ）は組み立てて一体化したヨロイの上から見た図である。
【図３】同前当てタイプの縁無し眼鏡におけるヨロイとブリッジの固着構造を示す断面図である。
【図４】図３に対し、ブリッジのみを後当てタイプに変更した場合の例を示す断面図である。
【図５】本発明の実施形態を後当てタイプに組み上げた場合の縁無し眼鏡５０の全体構成図で、（ａ）は正面図、（ｂ）は側面図、（ｃ）は（ａ）図のＶｃ部の上から見た図である。
【図６】同後当てタイプの縁無し眼鏡に使用するヨロイを示し、（ａ）はヨロイの分解斜視図、（ｂ）は組み立てて一体化したヨロイの上から見た図である。
【図７】同後当てタイプの縁無し眼鏡におけるヨロイとブリッジの固着構造を示す断面図である。
【図８】図７に対し、ブリッジのみを前当てタイプに変更した場合の例を示す断面図である。
【図９】前記前当てタイプの縁無し眼鏡において、レンズのカーブが大きい場合のワッシャの役目を説明するための図である。
【図１０】前記後当てタイプの縁無し眼鏡において、レンズのカーブが大きい場合のワッシャの役目を説明するための図である。
【図１１】前当てタイプの縁無し眼鏡の従来例を示す全体構成図で、（ａ）は正面図、（ｂ）は側面図、（ｃ）は（ａ）図のＸＩｃ部の上から見た図である。
【図１２】後当てタイプの縁無し眼鏡の従来例を示す全体構成図で、（ａ）は正面図、（ｂ）は側面図、（ｃ）は（ａ）図のＸＩＩｃ部の上から見た図である。
【符号の説明】
４  テンプル
３１Ａ，３１Ｂ，７１Ａ  眼鏡レンズ
３２，５２  ブリッジ
３３  ヨロイ
３２ａ，３３ａ，５２ａ，５３ａ  舌片（ベロ）
３５  ボルト
３６  ナット
３７  ワッシャ
４１  ヨロイ本体
４１ｃ  コバ当接部
４１ｄ  溝
４２  連結片
４２ａ  基片
４２ｅ  舌片
４３  ネジ
６１  ブリッジ本体
６２  連結片
【図１】
0003576844.tif 000002
【図２】
0003576844.tif 000003
【図３】
0003576844.tif 000004
【図４】
0003576844.tif 000005
【図５】
0003576844.tif 000006
【図６】
0003576844.tif 000007
【図７】
0003576844.tif 000008
【図８】
0003576844.tif 000009
【図９】
0003576844.tif 000010
【図１０】
0003576844.tif 000011
【図１１】
0003576844.tif 000012
【図１２】
0003576844.tif 000013